(57)【特許請求の範囲】
【請求項１】
法面に対して吹き付けられる法面緑化用の生育基盤材の製造方法であって、
伐採樹木由来の廃棄物を、該廃棄物の醗酵分解を促進する微生物群を含有する水溶液を添加してチップ化する一次破砕工程と、
前記一次破砕工程により得られたチップに有機肥料を添加して破砕する二次破砕工程と、
前記二次破砕工程から得られるチップを袋詰めして保管し、醗酵させる熟成工程と、
を少なくとも備える緑化用吹き付け基盤材の製造方法において、
前記二次破砕工程から得られるチップを袋詰めするために用いる袋は、通気性が良く、かつ、通水性の乏しい材質の袋が用いられていることを特徴とする緑化用吹き付け基盤材の製造方法。
【発明の詳細な説明】
【０００１】
【発明の属する技術分野】
本発明は、法面に吹き付けられて用いられる法面緑化用の基盤材料の製造方法に関する。
【０００２】
【従来の技術及び発明が解決しようとする課題】
従来から、堤、土手等の法面（傾斜面）に植生を施し、緑化することが行われている。例えば、種子、肥料、生育基盤材（繊維材）、接合剤、水等を混合して得られる吹き付け材料を、所定の散布機によって法面に吹き付ける法面緑化施工技術などが採用されている。
【０００３】
現在、上記肥料には化成肥料が広く使用されているが、この化成肥料は、植物の生育の害となる硝酸・亜硝酸過多を招きやすく、また環境面を考慮すると有機肥料への転換が望まれている。また、生育基盤材のコスト低減も要請されている。
【０００４】
一方、樹木を伐採した時の伐根、枝葉等の廃棄物を有効に再利用できる分野とその具体的な方法が検討されている中で、法面緑化用の上記生育基盤材としての再利用が考えられる。しかし、伐採樹木由来の廃棄物は繊維質で破砕がし難くいため、吹き付けに適したチップ状の生育基盤材として利用するのは困難であった。
【０００５】
また、伐採樹木由来の廃棄物を堆肥化し、法面緑化のために再利用することも考えられるが、かかる廃棄物は、分解されにくいセルロース、ヘミセルロース、リグニンを多く含むことから、効率的に発酵分解させて堆肥化するのは困難であった。
【０００６】
さらに、伐根、枝葉等の廃棄物を、野積みにし、熟成を行い、堆肥化を図っていたが、天候により熟成に必要な水分量の調整が困難であった。例えば、堆肥化を屋外で行う場合は、雨や湿気により、過剰の水分が加わったり、晴天が続くときは、野積みした堆肥の内部と表面とで、水分量が異なったりしていた。その一方、堆肥化を屋内で行う場合は、堆肥から発生する悪臭が、建物内に滞留するため、堆肥生成に携わる者にとって、好ましい状況ではなかった。
【０００７】
そこで、本発明は、伐採樹木由来の廃棄物の破砕を行った後、その破砕した伐採樹木の熟成を効率的に行い得るとともに、熟成した堆肥を長期間保管することができ、基盤材の堆肥化促進を達成できる法面緑化用の吹き付け基盤材の製造方法を提供することを目的とする。
【０００８】
【課題を解決するための手段】
上記目的を達成するために、本発明では、以下の手段を採用する。
【０００９】
まず、本発明では、法面に対して吹き付けられる法面緑化用の生育基盤材の製造方法であって、伐採樹木由来の廃棄物を、該廃棄物の醗酵分解を促進する微生物群を含有する水溶液を添加してチップ化する一次破砕工程と、前記一次破砕工程により得られたチップに有機肥料を添加して破砕する二次破砕工程と、前記二次破砕工程から得られるチップを袋詰めして保管し、醗酵させる熟成工程と、を少なくとも備える緑化用吹き付け基盤材の製造方法において、前記二次破砕工程から得られるチップを袋詰めするために用いる袋は、通気性が良く、かつ、通水性の乏しい材質の袋が用いられていることを特徴とする緑化用吹き付け基盤材の製造方法を提供する。
【００１０】
本発明における製造方法において、通気性の良い材質の袋を使用することにより、袋内に詰めた熟成したチップの水分量を調節することが、極めて容易となる。熟成したチップを長期間保管するためには、微生物群を、好気性発酵の条件で保つことが望ましいが、通常、熟成したチップを詰めた袋は、野積みされるため、外気温の変化により、袋内の温度が、常に変化する。この温度変化に伴い、袋内の熟成したチップは、水分が蒸発したり、水分を吸収したりする。このとき通気性の乏しい材質の袋を使用すると、袋内が蒸れ、嫌気性状態になりやすい。従って、本願発明における通気性の良い材質の袋を使用することにより、袋内の蒸れを防止し、袋内に詰めた熟成したチップの水分量を極めて容易に調節することができる。
【００１１】
また、従来の熟成工程において、二次破砕工程から得られるチップは、発酵分解を促進する微生物群によって、発酵する。このとき、微生物群は、発酵に伴い呼吸を行い、二酸化炭素を放出する。従って、通気性の乏しい材質の袋を使用した場合、二酸化炭素は、放出されず、袋内のチップは、嫌気性条件下での発酵となり、病原菌の発生が促進され、良好な堆肥を得ることができない。
【００１２】
そのため、本発明では、通気性の良い材質の袋を用いることにより、袋内に滞留する二酸化炭素を、袋外へと放出し、袋内を、常に、好気性発酵の条件に保つことができる。これにより、病原菌の発生を抑制し、良好な堆肥を得ることができる。なお、袋内の一部が、通気性に乏しく、チップが嫌気性状態になった場合であっても、嫌気性条件下で発酵可能な微生物群を用いることにより、常に、良好な堆肥を得ることが可能である。
【００１３】
前記袋は、通気性が良いことの他に、通水性の乏しい材質の袋が用いられる。
【００１４】
熟成したチップを長期間保管するためには、熟成したチップの水分量を、調整することを要する。そのため、熟成中、又は、熟成後のチップを、所望状態に水分量を調整した後、通水性の乏しい材質の袋で袋詰めすることにより、最適条件下での熟成を行うことができる。また、袋詰めしてから、所定量の、水を補給することにより、袋内の水分量を調整することもできる。また、通水性の乏しい材質の袋を用いた場合、熟成したチップに水を補給することなく、長期間の保管を容易に行うことができる。
【００１５】
本発明における製造方法では、繊維質が多く、破砕してチップ化し難いとされてきた採樹木由来の廃棄物を、二段階の破砕工程に分けて効率良く破砕する。このため、法面への吹き付け作業に適した所望の大きさのチップを確実に得ることができるようになる。
【００１６】
また、一次破砕工程において、該廃棄物の発酵分解を促進する微生物群を含有する水溶液（以下、「活性水溶液」と称する。）を予め添加しておく手段を採用することによって、該廃棄物の堆肥化を促進させることが可能となる。なお、活性水溶液の添加量は、二次破砕工程での水分量を勘案すると、廃棄物１００ｍ3当たり２０リットル程度が望ましい。
【００１７】
ここで、一次破砕工程において使用される破砕機械のスクリーンサイズ（スクリーンの目の大きさ）を８０〜１２０ｍｍ、特に１００ｍｍとすることによって、伐根に付着している土砂等を確実に篩いにかけて排除し、かつ目詰まりが起こらないように工夫しながら所望するサイズのチップを得ることが可能となる。
【００１８】
また、二次破砕工程において使用される破砕機械のスクリーンサイズを２０ｍｍ以下、特に１５ｍｍ以下とすることによって、吹き付けに適したサイズのチップを確実に得ることができる。
【００１９】
また、一次、二次破砕工程で得られるチップは木質であるから、いわゆるバーク堆肥の品質基準に準ずる品質とするために、窒素分などを補っておく必要がある。そこで、本発明における二次破砕工程では、一次破砕工程により得られたチップに、米糠・ふすま等の有機肥料を添加して破砕するようにする。
【００２０】
そして、二次破砕工程から得られるチップを、例えば１トン容量の袋に詰めて所定期間保管し、該チップの発酵分解を行う熟成工程を設けるようにする。なお、製造されたチップを袋詰めしておくことによって、保管がし易くなり、搬送等の取り扱いが容易になる。
【００２１】
以上のように、本発明は、伐採樹木の効率的熟成を行い得るとともに、熟成した堆肥の長期間保管を可能にし、伐採樹木由来の廃棄物の新規な再利用用途を提供するという技術的意義を有している。
【００２２】
【発明の実施の形態】
以下、本発明の好適な実施形態について、添付した図１を参照しながら説明する。図１は、本発明に係る緑化用吹き付け基盤材の製造方法を簡略に表す図である。
【００２３】
まず、本発明に係る緑化用吹き付け基盤材の製造方法の工程Ｐ１〜Ｐ３を説明する。本製造方法は、堤、土手等の法面に対して吹き付けられて用いられる法面緑化用の生育基盤材の製造方法である。
【００２４】
この製造方法において最初に行われる工程は、図１において符号Ｐ１で示されている一次破砕工程である。この一次破砕工程Ｐ１は、伐採された樹木由来の伐根、枝葉等からなる廃棄物１を、大まかに、チップ状に破砕するとともに、該チップの堆肥化を促進させる作用を発揮する水溶液を添加することを目的とする工程である。チップの大きさは、１０ｍｍ〜８０ｍｍ程度が好ましい。
【００２５】
この一次破砕工程Ｐ１は、物理的に廃棄物１を裁断等できる構成を備える第１破砕機３を用いて行う。具体的には、第１破砕機３内部の図示しない裁断部に連設されたホッパー３１へ廃棄物１を投入し、同時に該廃棄物１の発酵分解を促進する働きをする微生物群を含有させた活性水溶液２を添加し、廃棄物１と活性水溶液２を混合しながら破砕する。
【００２６】
この活性水溶液２の添加によって、とりわけ堆肥化し難い針葉樹由来の伐根、枝葉等であっても、発酵分解を円滑に行うことが可能となる。即ち、木質チップの堆肥化を確実に行うことができるようになるので、伐採樹木由来の廃棄物１の再利用用途が提供できる。なお、活性水溶液２の添加量は、後続の二次破砕工程Ｐ２でハンドリングし易い水分量を勘案して、廃棄物１００ｍ3当たり２０リットル程度が望ましい。
【００２７】
ここで、活性水溶液２で使用する微生物群は、好気性発酵微生物群であることが好ましいが、嫌気性発酵微生物群、両性発酵微生物群も使用することができる。例えば、分解菌である枯葉菌、バチルス菌、アゾトバクター、アミロバクター、発酵菌などを含む菌類を使用する。
【００２８】
前記第１破砕機３で裁断等されて破砕されたチップＴ１は、第１破砕機３内部に設けられたスクリーン（図示せず）で篩いにかけられ、主に伐根等に付着している土砂等が排除される。なお、破砕機械３に配設されるスクリーンサイズは、８０〜１２０ｍｍの範囲、特に好適には１００ｍｍとすることが望ましい。
【００２９】
次に、チップＴ１は、二次破砕工程Ｐ２に適宜の方法で移送される。二次破砕工程Ｐ２は、図１に示された第２破砕機４及びその付属設備によって行われる。具体的には、まず第２破砕機４の前方部に隣設された貯蔵ホッパー４１にチップＴ１が投入され、所定量ずつコンベア４２で搬出されて投入ホッパー４３に供給され、第２破砕機４に設けられた図示しない破砕部に投入される。
【００３０】
第２破砕機４では、チップＴ１を更に後続の吹き付け作業（後述）に適したサイズにまで破砕する。符号Ｔ２で表された二次破砕されたチップは、第２破砕機４に設けられているスクリーン（図示せず）による篩い工程を経て、コンベア４４，４５を介して第２破砕機４から搬出される。
【００３１】
ここで、二次破砕工程Ｐ２における第２破砕機４に設けるスクリーンサイズを２０ｍｍ以下、特に好適には１５ｍｍ以下とすることによって、吹き付けに適したサイズのチップを確実に得ることができるようになる。
【００３２】
また、一次、二次破砕工程で得られるチップは木質であるから、いわゆるバーク堆肥の品質基準に準ずる品質とする必要があるので、予め窒素分などを補っておく必要がある。そこで、二次破砕工程Ｐ２では、一次破砕工程Ｐ１にから得られたチップＴ１に、米糠・ふすま等の有機肥料５を添加して破砕するようにする。
【００３３】
次に、二次破砕工程Ｐ２から搬出されてきたチップＴ２を袋６に袋詰めして保管し、醗酵させる熟成工程Ｐ３を行うようにする。袋６は、通気性が良く、通水性の乏しい材質の袋である。例えば、ポリ塩化ビニル、ポリ塩化ビニリデン、ポリエチレン、ポリプロピレン、ポリスチレンなどの樹脂が使用できるがこれに限定されない。これにより、袋６内のチップＴ２の水分量を調整することができ、適宜、チップＴ２に、水分を補給し、熟成を行うことができる。または、袋６に詰めたチップＴ２は、長期間保管するため、水分補給を行わずに、熟成することも可能である。
【００３４】
ここで、チップＴ２を、例えば１トン容量の袋６（トンパック）に詰めて、約３ヶ月間保管し、該チップＴ２の発酵分解を行い、堆肥化を促進させる。なお、袋６の容量は、後続の吹き付け作業における作業性を考慮して適宜選択することが可能である。
【００３５】
熟成工程Ｐ３を袋詰めにより行うようにしたので、生育基盤材として使用される堆肥化されたチップＴ３は、一定容量の袋６に詰められた状態で、吹き付け作業現場に容易に輸送することが可能となる。このため、野積み状態から搬出して現場に輸送し、定まった量のチップＴ３を現場で計量して法面７に吹き付けるという、従来の煩雑な作業と比較して、格段に作業性が向上する。
【００３６】
ここで、法面７の緑化を行うためには、該法面７に植生に適した生育基盤材を施す必要がある。この法面緑化施工方法の一つに、種子、肥料、生育基盤材（繊維材）、粘着剤等と水とを混合したものを、所定の散布機８によって土手や堤防などの法面７に吹き付ける法面緑化施工技術などが採用されている。
【００３７】
【発明の効果】
本発明に係る緑化用吹き付け基盤材の製造方法によれば、破砕樹木の熟成を効率的に行い得るとともに、熟成した堆肥を長期間保管することができ、基盤材の堆肥化促進を達成できる法面緑化用の吹き付け基盤材の製造方法を提供することができる。また、伐採樹木由来の破棄物の再利用又はリサイクル用途を提供できるとともに、廃棄物処理のためにかかるコストの低減、吹き付け材料のトータル原価の低減ができる。また、伐採樹木由来の破棄物の破砕及び堆肥化を効率的に、かつ確実に行うことができ、吹き付け材料の製造工程期間を短縮できる。更に、化成肥料を一切用いていないことから、植生害がなく、環境面でも好ましい。
【図面の簡単な説明】
【図１】本発明に係る緑化用吹き付け基盤材の製造方法を簡略に表す図。
【符号の説明】
１  （伐採樹木由来の）廃棄物
２  活性水溶液
５  （チップＴ１に添加される）有機肥料
６  袋
７  法面
９  （吹き付け作業の際に添加される）有機肥料
Ｐ１  一次破砕工程
Ｐ２  二次破砕工程
Ｐ３  熟成工程
Ｔ１  （一次破砕工程Ｐ１により得られる）チップ
Ｔ２  （二次破砕工程Ｐ２から得られる）チップ
【図１】
0004145516.tif 000002